(57)【要約】【目的】スクロール操作を簡単にする。【構成】画像化された文書画像のうち，表示領域内の部分が携帯電話の表示画面に表示される（ステップ42）。表示画面上に形成されているタッチ・パネル上を指が上，下，左または右方向に動くと，表示領域もそれらの方向に動き，スクロールされる（ステップ45，48，49，50）。指がタッチ・パネルから離れると（ステップ46でＹＥＳ），文書画像に含まれる文章表示領域の左端（基準位置）に表示領域が移動させられる（ステップ47）。表示領域が基準位置に移動するので，スクロール操作が簡単となる。【選択図】図８
2012093888.tif 000002
【特許請求の範囲】
【請求項１】
画像化された文書のうち表示領域内の部分を表示画面に表示する表示装置，
画像化された文書の文字の並び順に対応した文字並び方向へのスクロール指令が与えられている間，上記表示領域を上記文字並び方向に移動する第１の表示領域移動手段，および
基準位置移動指令に応じて，上記表示領域を基準位置に移動する第２の表示領域移動手段，
を備えた文書画像表示装置。
【請求項２】
上記表示画面上に形成されているタッチ・パネル，
上記タッチ・パネル上を指またはタッチ・ペンで文字並び方向に動かすことにより上記文書画像表示装置にスクロール指令を与えるスクロール指令発生手段，および
指またはタッチ・ペンが上記タッチ・パネル上を動いた後に指またはタッチ・ペンが上記タッチ・パネルから離れる，指またはタッチ・ペンが上記タッチ・パネルから離れる場合に文字並び方向と逆方向に指またはタッチ・ペンが動く，あるいは指またはタッチ・ペンが上記タッチ・パネルから離れた後に一定時間内に再び上記タッチ・パネルに接したことに応じて，上記基準位置移動指令を発生する基準位置移動指令発生手段，
をさらに備えた請求項１に記載の文書画像表示装置。
【請求項３】
上記第２の表示領域移動手段は，
画像化された文書のうち，上記表示領域が位置している部分の文字の並び順が横書きの場合には，基準位置移動指令が発生したことに応じて，上記表示領域の左辺が，画像化された文書のうち余白を除く文章表示領域の左端，画像化された文書の左端，上記文章表示領域の左端の上部または上記表示領域が位置している上記文章表示領域の左端となるように上記表示領域を移動させる，あるいは画像化された文書のうち，上記表示領域が位置している部分の文字の並び順が縦書きの場合には，基準位置移動指令が発生したことに応じて上記表示領域の上辺が，上記文章表示領域の上端，画像化された文書の上端上記文章表示領域の上端の左部または上記表示領域が位置している上記文章表示領域の上端となるように上記表示領域を移動させるものである，
請求項１または２に記載の文書画像表示装置。
【請求項４】
表示装置が，画像化された文書のうち表示領域内の部分を表示画面に表示し，
第１の表示領域移動手段が，画像化された文書の文字の並び順に対応した文字並び方向へのスクロール指令が与えられている間，上記表示領域を上記文字並び方向に移動し，
第２の表示領域移動手段が，基準位置移動指令に応じて，上記表示領域を基準位置に移動する，
文書画像表示装置の動作制御方法。
【請求項５】
文書画像表示装置のコンピュータを制御するコンピュータが読み取り可能なプログラムであって，
画像化された文書のうち表示領域内の部分を表示画面に表示させ，
画像化された文書の文字の並び順に対応した文字並び方向へのスクロール指令が与えられている間，上記表示領域を上記文字並び方向に移動させ，
基準位置移動指令に応じて，上記表示領域を基準位置に移動させるように文書画像表示装置のコンピュータを制御するコンピュータが読み取り可能なプログラム。
【発明の詳細な説明】
【技術分野】
【０００１】
この発明は，文書画像表示装置ならびにその動作制御方法およびその動作プログラムに関する。
【背景技術】
【０００２】
画像化された文書がスマートフォンなどのような携帯電話の表示画面に表示される場合には，その文書を読むためにスクロールすることがある。表示画面にタッチ・パネルが形成されている携帯電話では，タッチ・パネル上を指などで動かすことによりスクロール指令が携帯電話に与えられる。タッチ・パネルで多くの命令を実行できるようにするためにあらかじめ，タップ，はねる，ドラッグの３種類を設定し，動作状態パターンにしたがって命令の選択を行うものがある（特許文献１）。
【０００３】
しかしながら，スクロール操作の向上については考えられていない。
【先行技術文献】
【特許文献】
【０００４】
【特許文献１】特開平10-269021号公報
【発明の概要】
【０００５】
この発明は，スクロール操作を向上させることを目的とする。
【０００６】
この発明による文書画像表示装置は，画像化された文書のうち表示領域内の部分を表示画面に表示する表示装置，画像化された文書の文字の並び順に対応した文字並び方向へのスクロール指令が与えられている間，上記表示領域を上記文字並び方向に移動する第１の表示領域移動手段，および基準位置移動指令に応じて，上記表示領域を基準位置に移動する第２の表示領域移動手段を備えていることを特徴とする。
【０００７】
この発明は，上記文書画像表示装置に適した動作制御方法も提供している。すなわち，この方法は，表示装置が，画像化された文書のうち表示領域内の部分を表示画面に表示し，第１の表示領域移動手段が，画像化された文書の文字の並び順に対応した文字並び方向へのスクロール指令が与えられている間，上記表示領域を上記文字並び方向に移動し，第２の表示領域移動手段が，基準位置移動指令に応じて，上記表示領域を基準位置に移動するものである。
【０００８】
この発明は，上記文書画像表示装置の動作制御方法を実施するためのコンピュータが読み取り可能なプログラムも提供している。そのようなプログラムを格納した記録媒体も提供するようにしてもよい。
【０００９】
この発明によると，画像化された文書のうち表示領域内の部分が表示画面に表示される。画像化された文書の文字の並び順（横書きまたは縦書き）に対応した文字並び方向（文字の並び順が横書きであれば左から右方向，文字の並び順が縦書きであれば上から下方向）へのスクロール指令が与えられると，そのスクロール指令が与えられている間，表示領域が文字並び方向に移動させられる。基準位置移動指令が与えられると，表示領域は基準位置に移動させられる。スクロール指令が与えられている間は，表示領域が文字並び方向に移動させられるので，スクロール指令に応じたスクロールが行われる。基準位置移動指令が与えられると，表示領域は基準位置に移動させられるので，画像化された文書の基準となる部分が表示されることとなる。表示画面に，画像化された文書の基準となる部分を表示させることができるようになる。スクロール操作が向上する。
【００１０】
上記表示画面上に形成されているタッチ・パネル，上記タッチ・パネル上を指またはタッチ・ペンで文字並び方向に動かすことにより上記文書画像表示装置にスクロール指令を与えるスクロール指令発生手段，および指またはタッチ・ペンが上記タッチ・パネル上を動いた後に指またはタッチ・ペンが上記タッチ・パネルから離れる，指またはタッチ・ペンが上記タッチ・パネルから離れる場合に文字並び方向と逆方向に指またはタッチ・ペンが動く，あるいは指またはタッチ・ペンが上記タッチ・パネルから離れた後に一定時間内に再び上記タッチ・パネルに接したことに応じて，上記基準位置移動指令を発生する基準位置移動指令発生手段をさらに備えてもよい。
【００１１】
上記第２の表示領域移動手段は，たとえば，画像化された文書のうち，上記表示領域が位置している部分の文字の並び順が横書きの場合には，基準位置移動指令が発生したことに応じて，上記表示領域の左辺が，画像化された文書のうち余白を除く文章表示領域の左端，画像化された文書の左端，上記文章表示領域の左端の上部または上記表示領域が位置している上記文章表示領域の左端となるように上記表示領域を移動させる，あるいは画像化された文書のうち，上記表示領域が位置している部分の文字の並び順が縦書きの場合には，基準位置移動指令が発生したことに応じて上記表示領域の上辺が，上記文章表示領域の上端，画像化された文書の上端上記文章表示領域の上端の左部または上記表示領域が位置している上記文章表示領域の上端となるように上記表示領域を移動させるものである。
【図面の簡単な説明】
【００１２】
【図１】文書画像通信システムの概要である。
【図２】携帯電話の電気的構成を示すブロック図である。
【図３】文書画像サーバの電気的構成を示すブロック図である。
【図４】文書画像の一例である。
【図５】レイアウト情報の一例である。
【図６】文書画像の一例である。
【図７】レイアウト情報の一例である。
【図８】携帯電話の処理手順の一部を示すフローチャートである。
【図９】携帯電話の処理手順の一部を示すフローチャートである。
【図１０】携帯電話の処理手順の一部を示すフローチャートである。
【図１１】文書画像の一例である。
【図１２】表示画面の一例である。
【図１３】表示画面の一例である。
【図１４】表示画面の一例である。
【図１５】表示画面の一例である。
【図１６】表示画面の一例である。
【図１７】表示画面の一例である。
【図１８】文書画像の一例である。
【図１９】文書画像の一例である。
【図２０】文書画像の一例である。
【図２１】文書画像の一例である。
【図２２】携帯電話の処理手順の一部を示すフローチャートである。
【図２３】携帯電話の処理手順の一部を示すフローチャートである。
【図２４】表示画面の一例である。
【図２５】文書画像の一例である。
【実施例】
【００１３】
図１は，この発明の実施例を示すもので，文書画像（画像化された文書を文書画像ということにする）通信システムの概要を示している。
【００１４】
この実施例による文書画像通信システムには，インターネット（インターネットに限らず社内LAN:ローカル・エリア・ネットワークなどでもよい）を介して互いに通信可能な携帯電話１および文書画像サーバ20が含まれている。携帯電話１からの要求に応じて，文書画像サーバ20から携帯電話１に文書画像を表わすファイルが送信される。
【００１５】
図２は，いわゆるスマートフォンと呼ばれる携帯電話の電気的構成を示すブロック図である。
【００１６】
携帯電話１の全体の動作は，制御装置２によって統括される。
【００１７】
携帯電話１には，他の携帯電話との通信，インターネットへのアクセス等のための通信装置10およびアンテナ11が設けられている。アンテナ11を介して後述する動作を行うプログラム12が携帯電話１にダウンロードされる。ダウンロードされたプログラム12が携帯電話１にインストールされることにより，携帯電話１は後述する動作を行う。もっとも，携帯電話１にメモリ・カード・リーダ（図示略）などが設けられている場合には，メモリ・カードに格納されたプログラムを，メモリ・カード・リーダを用いて読み取り，読み取られたプログラムを携帯電話１にインストールするようにしてもよい。
【００１８】
さらに，携帯電話１には，表示画面に文書，画像などを表示するための表示装置３が設けられている。表示装置３の表示画面には，タッチ・パネル４が形成されている。表示画面上に形成されているタッチ・パネル４をタッチすることにより，ユーザは，携帯電話１に様々な指令を与えることができる。
【００１９】
携帯電話１には，プログラム，所定のデータが格納されるメモリ５も含まれている。さらに，携帯電話１には，スピーカ８およびマイクロフォン９も含まれている。音声信号は，増幅回路７によって増幅されてスピーカ８に与えられることによりスピーカ８から音声が出力される。また，マイクロフォン９から入力した音声を表わす音声信号は，増幅回路７によって増幅されて制御装置２に入力する。
【００２０】
小さな表示画面に文書画像を表示する場合には，その表示画面に文書画像のすべてを表示してしまうと文書画像の文字が小さくなってしまい，文字が読めなくなる。このために，表示画面には文書画像の一部を表示し，表示画面に表示されない文書画像の部分を表示画面に表示させるためにスクロールが行われる。
【００２１】
図３は，文書画像サーバ20の電気的構成を示すブロック図である。
【００２２】
文書画像サーバ20の全体の動作は，ＣＰＵ21によって統括される。
【００２３】
文書画像サーバ21には，インターネットにアクセスするための通信装置22，所定のデータ等を記憶するメモリ23，キーボードなどの入力装置24，ハードディスク25，ハードディスク25にアクセスするためのハードディスク・ドライブ26およびＣＤ−ＲＯＭ（コンパクトディスク−リードオンリ・メモリ）ドライブ27が含まれている。後述する動作を制御するプログラムが格納されたＣＤ−ＲＯＭ28がＣＤ−ＲＯＭドライブ27に装填され，そのプログラムが読み取られる。読み取られたプログラムが文書画像サーバ20にインストールされる。もっともプログラムは，ＣＤ−ＲＯＭ28のような記録媒体に格納されていずに，インターネットを介して受信してもよい。
【００２４】
文書を表わすテキスト・ファイルはハードディスク25に格納されている。ハードディスク25からテキスト・ファイルが読み取られ，ＣＰＵ21によって文書画像を表わす文書画像ファイルに変換される。変換された文書画像ファイルもハードディスク25に格納される。
【００２５】
図４は，文書画像30の一例である。
【００２６】
文書画像30には，画像化された文章が表示されている文章表示領域31が形成されている。文章表示領域31に表示されている文章の並び順（縦書き，または横書き）は横書きである。文章表示領域31に周りには余白32が形成されている。
【００２７】
文書画像30の原点を，文書画像30の左上の頂点とすると，その原点の座標は（ｘ０，ｙ０）で表わされる。文書画像30の幅はｗ０，高さはｈ０である。文章表示領域31の原点を，文章表示領域31の左上の頂点とすると，その原点の座標は（ｘ１，ｙ１）で表わされる。文章表示領域31の幅はｗ１，高さはｈ１である。
【００２８】
図５は，図４に示す文書画像30についてのレイアウト情報を示している。
【００２９】
レイアウト情報は，文書画像ごとに生成される。レイアウト情報には，文書画像30および文章表示領域31のそれぞれの原点位置，幅，および高さならびに文章表示領域31の文章の並び順が含まれている。
【００３０】
レイアウト情報は，文書画像30が画像化される前のテキスト・ファイルを利用して生成することができる。レイアウト情報は，文書画像30を表わす文書画像ファイルのヘッダに格納されるが，別ファイルとしてもよい。別ファイルとした場合には，文書画像30に対応するレイアウト情報であることが分るように，文書画像ファイルのファイル名と一部共通のファイル名がレイアウト情報を表わすファイルに付与される，あるいは共通のフォルダに格納されるようになろう。
【００３１】
図６は，文書画像33の一例である。
【００３２】
文書画像33の原点の座標，幅および高さは，図４に示した文書画像30の原点の座標と同様に，（ｘ０，ｙ０），ｗ０およびｈ０である。原点の座標，幅または高さは必ずしも同じでなくともよい。
【００３３】
文書画像33には，第１の文章表示領域34，第２の文章表示領域35および第３の文章表示領域36が形成されている。第１の文章表示領域34の原点の座標，幅および高さは，（ｘ11，ｙ11），ｗ11およびｈ11である。第２の文章表示領域35の原点の座標，幅および高さは，（ｘ12，ｙ12），ｗ12およびｈ12である。第３の文章表示領域36の原点の座標，幅および高さは，（ｘ13，ｙ13），ｗ13およびｈ13である。第１，第２および第３の文章表示領域34，35および36に含まれる文章の並び順はすべて横書きである。
【００３４】
図７は，文書画像33のレイアウト情報を示している。
【００３５】
図５に示したレイアウト情報と同様に，文書画像33，第１の文章表示領域34，第２の文章表示領域35および第３の文章表示領域35のそれぞれについて，原点位置，幅および高さが格納されている。また，第１，第２および第３の文章表示領域33，34および35のそれぞれについて並び順が格納されている。
【００３６】
図６に示す第１，第２および第３の文章表示領域33，34および35に含まれている文章の並び順はすべて横書きであるが，領域に応じて並び順が縦書きに変わってもよい。
【００３７】
上述した文書画像30，33などを作成するための文書の画像化，レイアウト情報の生成は，文書画像サーバ20においてあらかじめ行われている。もっとも，文書の画像化，レイアウト情報の生成を文書画像サーバ20において行われなくとも，携帯電話１において行われるようにしてもよい。
【００３８】
図８および図９は，携帯電話１の処理手順を示すフローチャートである。
【００３９】
携帯電話１から文書画像サーバ20に，図４に示す文書画像30がリクエストされ，その文書画像30を表わし，かつレイアウト情報がヘッダに格納されている文書画像ファイルが携帯電話１において受信されたものとする。
【００４０】
携帯電話１に文書画像ファイルが受信されると，表示領域（表示領域内の文書画像30の部分が携帯電話１の表示画面に表示される）が文書画像30の初期位置に位置決めされる（ステップ41）。文書画像30の初期位置は，文書画像30に含まれる一つの文章表示領域31に含まれる文章の並び順が横書きであるから，その文章表示領域31の左上となる。文書画像30のレイアウト情報を利用して，表示領域の左上の頂点が文章表示領域31の原点と一致するように表示領域が位置決めされる。表示領域内の文書画像が携帯電話１の表示画面に表示される（ステップ42）。
【００４１】
図10は，文書画像30を示している。
【００４２】
表示領域60が符号61で示す位置にあるものとする。携帯電話１の表示画面には，表示領域60内の文書画像30が表示される。
【００４３】
図11は，携帯電話１の表示画面70の一例である。
【００４４】
図10に示すように，表示領域60が符号61で示す位置にある場合には，図11に示すように符号61で示す位置にある表示領域60内の文書画像30が表示されるようになる。
【００４５】
図８に戻って，表示領域60内の文章の並び順が横書きか縦書きかが判定される（ステップ43）。
【００４６】
文章表示領域31の文章の並び順は横書きであるから，つづいて，タッチ・パネル４上を指，タッチ・ペンなどが動いたかどうかが判定される（ステップ44）。指，タッチ・ペンなどが動いた方向に表示領域60が動き，表示領域60内の文書画像30が表示画面70上に表示される（ステップ45，48，49，50）。指，タッチ・ペンなどがタッチ・パネル４上に右方向，左方向，上方向または下方向に動いたとすると，その動いた量に比例して表示領域60も右方向，左方向，上方向または下方向に動く。
【００４７】
図11に示すように，指71がタッチ・パネル４上を右方向に移動したものとする（文字の並び順に対応した文字並び方向へのスクロール指令）。すると，図10に示す文書画像30において，表示領域60が符号61で示す位置から右方向に移動し（文字並び方向への移動），符号62で示す位置に移動する。すると，表示画面70には，図12に示すように，符号62で示す位置に移動した表示領域60内の文書画像30が表示されることとなる。
【００４８】
タッチ・パネル４上から指が離れずに（図８ステップ46），図12で示すように，タッチ・パネル４上を指71が右方向に動くと（図８ステップ44，45），表示領域60はさらに右方向に移動し，図10に示す文書画像30において符号63で示す位置に移動する。表示画面70には，図13で示すように，符号63で示す位置に移動した表示領域60内の文書画像30が表示されることとなる。
【００４９】
図14で示すように，タッチ・パネル４から指71が離れると（図８ステップ46でＹＥＳ），基準位置移動指令が発生し，表示領域60の左辺が文章表示領域31の左端と一致（基準位置）するように表示領域60が左方向に移動する（図８ステップ47）。図10を参照して，符号63で示す位置にあった表示領域60は，符号61で示す位置に戻される。これにより，表示画面70には，図15に示すように，符号61で示す位置にある表示領域60内の文書画像30が表示されるようになる。
【００５０】
携帯電話１に終了指令が与えられると，携帯電話１の処理は終了する（図８ステップ51）。
【００５１】
文章表示領域31の文章の並び順が縦書きだったとする（図８ステップ43）。すると，その並び順が横書きだった場合と同様に，タッチ・パネル４上を指，ペンが動いたかどうかが判定される（図９ステップ52）。タッチ・パネル４上を指，ペンが動いた方向に表示領域60が動き，表示領域60内の文書画像が表示画面70に表示されるようになる（図９ステップ53，57，58，59）。
【００５２】
文章の並び順が縦書きの場合には，タッチ・ペン，指などが下方向に移動（文字並び方向へのスクロール指令）した場合において，タッチ・ペン，指などがタッチ・パネル４から離れると（図９ステップ54），基準位置移動指令が発生し，表示領域60の上辺が文章表示領域の上端と一致（基準位置）するように表示領域60が移動させられる（図９ステップ55）。終了指令が与えられなければ（図９ステップ56でＮＯ），図８ステップ43の処理から繰り返される。
【００５３】
文章表示領域31に含まれる文章の並び順が縦書きの場合には，表示領域60の初期位置は，文章表示領域31の右上となり，表示領域60の右上の頂点と文章表示領域31の右上の頂点とが一致するように表示領域60が位置決めされる。
【００５４】
上述の実施例では，指（またはタッチ・ペン）が右方向または下方向に動いた後に指（またはタッチ・ペン）がタッチ・パネル４上から離れると（図８ステップ46でＹＥＳ，図９ステップ54でＹＥＳ），表示領域60が基準位置に移動させられるが，指（またはタッチ・ペン）がタッチ・パネル４上から離れる場合以外に表示領域60が基準位置に移動させられるようにしてもよい。
【００５５】
図16は，表示画面70の一例である。
【００５６】
図16は，指71でタッチ・パネル４上をフリックしている様子を示している。このように指71（またはタッチ・ペン）で左方向（表示画面70に表示されている文章が縦書きの場合には上方向）にフリックされた場合に，表示領域60が基準位置に移動させられるようにしてもよい。
【００５７】
図17も表示画面の一例である。
【００５８】
図17は，表示画面70の左下をタップしている様子を示している。このように，指71（またはタッチ・ペン）で表示画面70上に形成されているタッチ・パネル４の隅をタップされた場合に，表示領域60が基準位置に移動させられるようにしてもよい。
【００５９】
さらに，一定時間（たとえば１秒）以内に複数回，表示画面70上に形成されているタッチ・パネル４をタップした場合に，表示領域60が基準位置に移動させられるようにしてもよい。
【００６０】
図18は，文書画像30を示している。
【００６１】
上述した実施例では，タッチ・パネル４から指71が離されるなどにより，表示領域60は基準位置である，文章表示領域31の左端に移動させられている（表示領域60の左上の頂点のｘ座標が文章表示領域31の原点のｘ座標と等しくなればよい）が，基準位置は文章表示領域31の左端に限らず，他の位置でもよい。
【００６２】
図19は，文書画像30を示している。
【００６３】
図19では，基準位置は文章表示領域31の左端ではなく，文書画像30の左端となっている。上述のように，タッチ・パネル４から指71が離されるなどにより，表示領域60の左辺が文書画像30の左端と一致するようにしてもよい。表示領域60の左上の頂点のｘ座標が文書画像30の原点のｘ座標と等しくなればよい。並び順が縦書きの場合には，表示領域60の上辺が文書画像30の上端と一致するようにしてもよい。さらにレイアウト情報には，文書画像および文章表示領域の原点だけでなく，文書画像および文章表示領域の幅および高さもそれぞれ含まれているので，これらの幅および高さを用いて表示領域を文書画像または文章表示領域の四隅に位置決めまたは四辺に接するように位置決めすることもできる。
【００６４】
図20も，文書画像30を示している。
【００６５】
図20では，基準位置は初期位置とされている。上述のように，タッチ・パネル４から指71が離されるなどにより，表示領域60の左上の頂点が文章表示領域31の左上の原点と一致するようにしてもよい。並び順が縦書きの場合には，表示領域60の右上の頂点が文章表示領域31の右上の原点と一致するようになろう。
【００６６】
図21は，文書画像33を示している。
【００６７】
上述したように，文書画像33には，第１，第２および第３の文章表示領域34，35および36が含まれている。表示領域60は符号67で示すように，第３の文章表示領域34の右端に位置しているものとする。そのような状態で，上述のようにタッチ・パネル４から指71が離されると，表示領域60の左辺が，その表示領域60が位置している第３の文章表示領域36の左端と一致するように，表示領域60が移動させられる。
【００６８】
文書画像33に含まれる第１，第２および第３の表示領域34，35および36のうち，もっとも左側（縦書きの場合右側）の位置する表示領域34または35の左端（右端）と表示領域60の左辺（右辺）とが一致するように基準位置を決定し，表示領域60をその基準位置に位置決めするようにしてもよい。さらに，文書画像33に含まれる第１，第２および第３の表示領域34，35および36のうち，もっとも上にある第１の表示領域34の左上（縦書きの場合右上）の原点と表示領域60の左上（右上）の頂点とが一致するように基準位置を決定し，表示領域60をその基準位置に位置決めするようにしてもよい。さらに，複数の文章表示領域34，35および36があった場合であっても，基準位置を文書画像33の左端，右端，左上の原点または右上の原点にしてもよい。
【００６９】
図22および図23は，他の実施例を示すもので，携帯電話１の処理手順を示すフローチャートである。この処理手順は，指，タッチ・ペンなどがタッチ・パネル４から離れる場合であって，指，タッチ・ペンなどが左方向（文章表示領域の文章が横書きの場合であり，文章表示領域の文章が縦書きの場合には上方向）に動いたときに，表示領域が基準位置に移動するものである。
【００７０】
携帯電話１からの要求に応じて，図４に示す文書画像30を表わす文書画像ファイルが携帯電話１に送信されているものとする。図５に示すレイアウト情報は，文書画像ファイルのヘッダに記録されているのはいうまでもない。
【００７１】
上述したのと同様に表示領域60が文書画像30の初期位置（例えば，文章表示領域31の左上の位置）に位置決めされ（ステップ81），表示領域60内の文書画像30が携帯電話１の表示画面70に表示される（ステップ82）。
【００７２】
表示領域60内の文章の並び順が横書きか縦書きかが判定される（ステップ83）。
【００７３】
表示領域60が位置している文章表示領域31の文章は横書きであるから，表示領域60内の文章の並び順は横書きと判断される。
【００７４】
タッチ・パネル４に操作があると（ステップ84），その操作が，タッチ・パネル４から指，タッチ・ペンなどが離れた操作か，タッチ・パネル４上を指，タッチ・ペンが動いた操作か，タッチ・パネル４に指，タッチ・ペンが接した操作か，タッチ・パネル４に指，タッチ・ペンが一定時間以上長押しされた操作かが判定される。
【００７５】
指，タッチ・ペンなどを用いてスクロール操作を行う場合には，まず，タッチ・パネル４上に指，タッチ・ペンなどが接する。すると，その接した位置が記憶される（ステップ89）。つづいて，スクロールのために指，タッチ・ペンがタッチ・パネル４に接したまま動かされると，その移動量が計算され，計算された移動量に応じて表示領域60の位置が移動される（ステップ88）。指，タッチ・ペンの移動量だけ表示領域60を移動してもよいし，指，タッチ・ペンの移動量の何倍かの移動量を表示領域60の移動量としてもよい。移動中の表示領域60および移動後の表示領域60内の文書画像30が表示画面70に表示される。
【００７６】
スクロールを終了させるために，指，タッチ・ペンがタッチ・パネル４から離れると，タッチ・パネル４から離れる時に指，タッチ・ペンが左方向に動いたかどうかが確認される（ステップ85）。表示画面70に表示されている文章が横書きであり，右方向にスクロールしている場合に，上述のように表示領域60を基準位置に移動させようとするときには，ユーザは，タッチ・パネル４から離れる時に指，タッチ・ペンを左方向に動くことが多いと考えられる。このために，タッチ・パネル４から離れる時に指，タッチ・ペンが左方向に動いた場合に（ステップ85でＹＥＳ），表示領域60が基準位置に移動させられる（ステップ86）。これに対して，指，タッチ・ペンがタッチ・パネル４から離れた場合であっても，タッチ・パネル４から離れる時に指，タッチ・ペンが左方向に動いていなければ（ステップ85でＮＯ），ユーザが表示領域60を基準位置に移動させたいとは考えていないと思われるので，表示領域60を基準位置に移動させる処理はスキップされる。
【００７７】
指，タッチ・ペンの長押し（一定時間以上のタッチ動作）があると，その長押しされた位置が基準位置として記憶される（ステップ90）。
【００７８】
図24は，表示画面70の一例であり，図25は，文書画像30を示している。
【００７９】
図24に示すように，指71によって，表示画面70（タッチ・パネル４）が長押しされているものとする。すると，図25に示すように，長押しされた位置を示す座標（ｘｃ，ｙｃ）が基準位置として記憶される。
【００８０】
基準位置を示す座標が記憶されていると，上述したようにタッチ・パネル４から指，タッチ・ペンが離れるときに左に動くと（図22ステップ86），その記憶されている座標が表示画面70の中心となるように表示領域が移動させられる（図22ステップ86）。ユーザの所望の場所を基準位置と指定できるようになる。
【００８１】
表示領域60内の文章が縦書きの場合であっても（図22ステップ83），同様に，タッチ・パネル４に操作があったかどうかが判断される（図23ステップ91）。
【００８２】
タッチ・パネル４に指，タッチ・ペンが接した場合には，その接した位置が記憶される（図23ステップ96）。指，タッチ・ペンがタッチ・パネル４に接した状態で動くと，その移動量から表示領域60の移動量が計算され，計算された移動量の分だけ表示領域が動く（図23ステップ95）。スクロールが行われることとなる。指，タッチ・ペンの長押しが行われると，その長押しされた位置の座標が基準位置の座標として記憶される（図23ステップ97）。指，タッチ・ペンがタッチ・パネル４から離れる時に，指，タッチ・ペンが上方向に動くと（図23ステップ92でＹＥＳ），表示領域60が基準位置に移動させられる（図23ステップ93）。指，タッチ・ペンの長押しにより基準位置の座標が記憶されていれば，その基準位置に表示領域60が移動させられ，指，タッチ・ペンの長押しが行われていなければ，あらかじめ定められている基準位置（文書画像が縦書きのときには，その右上など）に表示領域60が移動させられる。
【００８３】
終了指令が与えられなければ（図23ステップ94），上述の処理が繰り返される。
【符号の説明】
【００８４】
１  携帯電話（文書画像表示装置）
２  制御装置（第１の表示領域移動手段，第２の表示領域移動手段）
３  表示装置
４  タッチ・パネル
【図１】
2012093888.tif 000003
【図２】
2012093888.tif 000004
【図３】
2012093888.tif 000005
【図４】
2012093888.tif 000006
【図５】
2012093888.tif 000007
【図６】
2012093888.tif 000008
【図７】
2012093888.tif 000009
【図８】
2012093888.tif 000010
【図９】
2012093888.tif 000011
【図１０】
2012093888.tif 000012
【図１１】
2012093888.tif 000013
【図１２】
2012093888.tif 000014
【図１３】
2012093888.tif 000015
【図１４】
2012093888.tif 000016
【図１５】
2012093888.tif 000017
【図１６】
2012093888.tif 000018
【図１７】
2012093888.tif 000019
【図１８】
2012093888.tif 000020
【図１９】
2012093888.tif 000021
【図２０】
2012093888.tif 000022
【図２１】
2012093888.tif 000023
【図２２】
2012093888.tif 000024
【図２３】
2012093888.tif 000025
【図２４】
2012093888.tif 000026
【図２５】
2012093888.tif 000027